(57)【要約】      （修正有）【課題】迅速な建設、半永久的な剛性、及び高い貯水率をもたらす貯水タンク構造体及び貯水タンク構造体を建設する方法を提供する。【解決手段】所定の貯水スペースを内部に確保するように複数の鋳鉄製パネル１０を組み立てることによって作製され、充分に高い強度を有する鋳鉄製パネルによって構造体の高剛性を得ると共に、貯水タンク構造体の容積と比べ比較的に大きい貯水スペースを与え、さらに清掃などの継続保守を行えるように作業員が出入り可能に作製され、しかも工期を短縮できるように簡単な組み立て方法で作製される貯水タンク構造体及びその貯水タンク構造体を建造する。【選択図】図１ａ
2009057819.tif 000002
【特許請求の範囲】
【請求項１】
複数の鋳鉄製パネル、及び
各鋳鉄製パネルの隅部に連結され、複数の鋳鉄製パネルを水平及び垂直方向に相互に接続することによって、複数の隔壁を内部に有する多角状の貯水タンク構造体を形成する複数のジョイント、
を備えた貯水タンク構造体であって、前記複数のジョイントは、
貯水タンク構造体の最下部を形成する複数の鋳鉄製パネルの下方隅部を接続する複数のベースジョイントと、貯水タンク構造体の最上部を形成する複数の鋳鉄製パネルの上方隅部を接続する複数のキャップジョイントであって、各々のジョイントがそれぞれの本体の上部または下部に形成され且つ各鋳鉄製パネルの隅部を受け入れる幅及び深さを有する複数の組立用溝を有し、複数の組立用溝の各々が、各鋳鉄製パネルの隅部が水平方向に抜けるのを防止するように、それぞれの側方入口部の内壁に形成されたロック突部を有している複数のベースジョイントと複数のキャップジョイント、及び
貯水タンク構造体の最上部及び最下部を形成する複数の鋳鉄製パネルの隅部を、貯水タンク構造体の最上部と最下部間に位置する複数の鋳鉄製パネルの隅部に接続する複数の中間ジョイントであって、各々の中間ジョイントがそれぞれの本体の上部及び下部に形成され且つ各鋳鉄製パネルの隅部を受け入れる幅及び深さを有する複数の組立用溝を有し、複数の組立用溝の各々が、各鋳鉄製パネルの隅部が水平方向に抜けるのを防止するように、それぞれの側方入口部の内壁に形成されたロック突部を有している複数の中間ジョイント
を備えた貯水タンク構造体。
【請求項２】
前記ベースジョイント及び前記キャップジョイントは、Ｔ字状の配置で形成された組立用溝を有する第１ベースジョイント及び第１キャップジョイントと、直交状の配置で形成された組立用溝を有する第２ベースジョイント及び第２キャップジョイントと、交差状の配置で形成された組立用溝を有する第３ベースジョイント及び第３キャップジョイントとからなる請求の範囲第１項に記載の貯水タンク構造体。
【請求項３】
前記中間ジョイントは、Ｔ字状の配置で形成された組立用溝を有する第１中間ジョイントと、直交状の配置で形成された組立用溝を有する第２中間ジョイントと、交差状の配置で形成された組立用溝を有する第３中間ジョイントとからなる請求の範囲第１項に記載の貯水タンク構造体。
【請求項４】
前記貯水タンク構造体は、鋳鉄製パネルの隔壁により上下に形成された垂直方向の空間を覆うように、貯水タンク構造体の頂部上に被されるキャップパネルを備え、キャップパネルは各鋳鉄製パネルの隔壁により画成された空間に対応するサイズを有し且つ鋳鉄製パネルの各隅部の下面に形成された組立用突起を有しており、前記第１から第３のキャップジョイントはそれぞれの頂部上に形成され前記組立用突起が挿入されるキャップ組立用溝を有する請求の範囲第１項に記載の貯水タンク構造体。
【請求項５】
前記貯水タンク構造体は、鋳鉄製パネルの隔壁により上下に形成された垂直方向の空間を覆うように、貯水タンク構造体の頂部上に被されるキャップパネルを備え、キャップパネルは、各側部から一体状に、貯水タンク構造体の最上部を形成する鋳鉄製パネルの頂端に装着されるように突出した複数の延出片であって、隣接するキャップパネルの延出片と重ならないようにパズル状に配置された延出片と、各鋳鉄製パネルの頂端に対してロックされるように各延出片の端部下面に形成され、キャップパネルが水平方向に移動するのを防止する移動防止突部とを備える請求の範囲第１項に記載の貯水タンク構造体。
【請求項６】
前記キャップパネルは、各キャップジョイントの頂部に装着されるように各隅部に形成された補助延出片を備える請求の範囲第５項に記載の貯水タンク構造体。
【請求項７】
前記キャップパネルは貯水タンク構造体の内部への入口を有し、前記入口を通って人員が出入り可能である請求の範囲第４または５項に記載の貯水タンク構造体。
【請求項８】
各鋳鉄製パネルは、各ジョイントの組立用溝に形成されたロック突部と対応するようにそれぞれの各隅部に形成されたロック突起を有する請求の範囲第１から５項のいずれか一項に記載の貯水タンク構造体。
【請求項９】
各鋳鉄製パネルは、それぞれの片側から内方に凹んでアーチ状もしくは台形状に形成された凹部を有することで通路用鋳鉄製パネルを形成し、通路用鋳鉄製パネル間の接続により、人員が貯水タンク構造体内で移動する通路が設けられる請求の範囲第８項に記載の貯水タンク構造体。
【請求項１０】
基礎部を形成する工程、
基礎部上に床シートを施す工程、
複数の鋳鉄製パネルの各々の隅部を、Ｔ字状、直交状及び交差状の配置で形成された複数の組立用溝をそれぞれの上部に有する第１、第２及び第３のベースジョイントに挿入して、貯水タンク構造体の下部を形成する工程、
貯水タンク構造体の下部を形成する各鋳鉄製パネルの上方隅部に対応する部分を、Ｔ字状、直交状及び交差状の配置で形成された複数の組立用溝をそれぞれの上部及び下部に有する第１、第２及び第３の中間ジョイントと組み立て、さらにその他の鋳鉄製パネルの隅部を前記第１、第２及び第３の中間ジョイントの上部と組み立て、鋳鉄製パネルが所望の高さに組み立てられるまで前記組み立て作業を繰り返す工程、
各鋳鉄製パネルの最上隅部を、Ｔ字状、直交状及び交差状の配置で形成された複数の組立用溝をそれぞれの下部に有する第１、第２及び第３のキャップジョイントに挿入し、貯水タンク構造体の頂部上にキャップパネルを組み立てて、貯水タンク構造体の作製を完成させる工程、
貯水タンク構造体内に貯えられた雨水の排出を遅らせるように、貯水タンク構造体の側部及び頂部上に側部及び頂部シートを施す工程、及び
貯水タンク構造体の側部及び頂部に対し埋め戻しを行う工程
を有する貯水タンク構造体の建造方法。
【請求項１１】
前記基礎部は、砕石層を広げて敷き、砕石層の上に砂層を施し、砂層の上に高圧ブロックを施して形成される請求の範囲第１０項に記載の貯水タンク構造体の建造方法。
【請求項１２】
前記床シートは、保護シート (短繊維不織布)、遮水シート (強化複合型)、及び保護シート (長繊維不織布)を基礎部上に順次広げて敷くことによって形成される請求の範囲第１１項に記載の貯水タンク構造体の建造方法。
【請求項１３】
前記貯水タンク構造体は、片側に位置した雨水導入部と、他側に位置した雨水導入部とを備え、雨水導入部は片側に位置した第１雨水導入タンクと、第１雨水導入タンクに隣接して位置した第２雨水導入タンクとを有し、第１及び第２の雨水導入タンクは、それぞれの下部に形成された第１雨水流通孔であって、異物を雨水からろ過して除去するフィルタ部に接続された第１雨水流通孔と、雨水が所定のレベルを超えて第１雨水導入タンクに導入された場合に、前記フィルタ部を通過せずに直接第２雨水導入タンクへと溢れ出るように、それぞれの上部に形成された第２雨水流通孔とを有し、第２雨水導入タンクは、貯水タンク構造体の内部へ雨水を導入するように下部に形成された第３雨水流通孔を有する請求の範囲第１０から１２項のいずれか一項に記載の貯水タンク構造体の建造方法。
【発明の詳細な説明】
【技術分野】
【０００１】
本発明は雨水を内部に貯えるのに適した貯水タンク構造体に関し、特に所定の貯水スペースを内部に確保するように複数の鋳鉄製パネルを組み立てることによって作製され、充分に高い強度を有する鋳鉄製パネルによって構造体の高剛性を得ると共に、貯水タンク構造体の容積と比べ比較的に大きい貯水スペースを与え、さらに清掃などの継続保守を行えるように作業員が出入り可能に作製され、しかも工期を短縮できるように簡単な組み立て方法で作製される貯水タンク構造体及びその貯水タンク構造体を建造する方法に関する。
【背景技術】
【０００２】
激しい雨嵐が生じても、質の高い排水システムが備えられていれば迅速な排水を可能とし、雨水によって引き起こされる損害の発生を充分に防げる。
【０００３】
しかしながら、急速な雨水の排水は川の氾濫を引き起こし、深刻な洪水の損害を伴う。さらに、急速な雨水の排水は、雨水を地表から過剰に浸透させ、地下水の不足という望ましくない結果をもたらす点からも許容されない。
【０００４】
上記の各問題を防止するため、最近では雨水を内部に貯える貯水タンク構造体が地下に設置されており、必要なら、貯えた雨水が人々の生活水として利用される。また、川の氾濫によって引き起こされる洪水の損害を防げるように、雨水が川へ流入するのにかかる時間を遅らせたり、さらに地下の水源が維持されるように、貯えられた水が地表から吸収されるのにかかる時間を延ばしたりしている。
【０００５】
そのような目的を有する貯水タンク構造体は、一般にプレキャストコンクリート（ＰＣ）、ポリウレタン、亜鉛被覆鋼板、発泡スチロール、組み立て体を形成するための割りぐり石など用いて作製される。
【発明の開示】
【発明が解決しようとする課題】
【０００６】
ところで、プレキャストコンクリートを用いて作製される貯水タンク構造体は、建造に高いコストと長い工期を必要とする点で望ましくなく、従ってプレキャストコンクリートは比較的大きいサイズの貯水タンク構造体を建造する場合にのみ使われている。
【０００７】
また、亜鉛被覆鋼板は比較的低い強度を有するため、耐久性を低下させて使用期間を短縮させるほか、被覆の品質が悪いと腐食を生じ、使用期間を短縮させると共に水の汚染を引き起こす。
【０００８】
発泡スチロールも比較的低い強度を有するため、耐久性を低下させて使用期間を短縮させるほか、占有体積が大きいため、単位面積当たりの貯水容量が比較的小さい。さらに、組み立て体を形成するための割りぐり石も大きい占有体積を有するため、単位面積当たりの貯水率が比較的低い。また上記した全ての材料は、比較的長い建設期間を有し、人件費を含む全種類のコストが増加する。
【０００９】
一方、ポリウレタンを用いた貯水タンク構造体は９３％から９５％の間の高い貯水率を有するが、強度が比較的低いというポリウレタンの特性を解消するために、所定の形状パターンを有する小サイズの構造体を密に積層してスペースを形成する結果、作業員が出入りするのが不可能になる。従って、建設後の貯水タンク構造体の保守が全く行うことができず、しかも強度が比較的低いというポリウレタンの特性から、貯水タンク構造体の高さ（深さ）が制限される。
【００１０】
また、上記材料を用いた貯水タンク構造体のほとんどは、作業員の出入りを可能としないため、スラッジなどの沈殿物を除去するのが不可能である。大量の沈殿物が貯水タンク構造体内に堆積すると、貯水量が減少する。
【００１１】
さらに、他国の企業によって提案され開発された上記材料を用いた貯水タンク構造体を採用する場合には、高額のロイヤルティ料を支払わなければならず、これは国益の観点から有用でない。
【００１２】
従って、本発明は当該分野における上記した問題を考慮してなされたものであり、本発明の目的は、高強度を有する複数の鋳鉄製パネルを複数のジョイント（継ぎ手）を用い組み立てることによって作製され、構造体の迅速な建設、半永久的な剛性、及び高い貯水率もたらす貯水タンク構造体及び貯水タンク構造体を建造する方法を提供することにある。
【００１３】
本発明の別の目的は、作業員が出入り可能に作製され、雨水と一緒に堆積したスラッジなどの沈殿物を除去する洗浄などの継続的な保守を行うのを容易にすると共に、工期を短縮するように簡単な組み立て方法で作製される貯水タンク構造体及び貯水タンク構造体を建造する方法を提供することにある。
【課題を解決するための手段】
【００１４】
上記目的を達成するため、本発明の一観点によれば、複数の鋳鉄製パネル；及び各鋳鉄製パネルの隅部に連結され、複数の鋳鉄製パネルを水平及び垂直方向に相互に接続することによって、複数の隔壁を内部に有する多角状の貯水タンク構造体を形成する複数のジョイントを備えた貯水タンク構造体であって、前記複数のジョイントは、貯水タンク構造体の最下部を形成する複数の鋳鉄製パネルの下方隅部を接続する複数のベースジョイントと、貯水タンク構造体の最上部を形成する複数の鋳鉄製パネルの上方隅部を接続する複数のキャップジョイントであって、各々のジョイントがそれぞれの本体の上部または下部に形成され且つ各鋳鉄製パネルの隅部を受け入れる幅及び深さを有する複数の組立用溝を有し、複数の組立用溝の各々が、各鋳鉄製パネルの隅部が水平方向に抜けるのを防止するように、それぞれの側方入口部の内壁に形成されたロック突部を有している複数のベースジョイントと複数のキャップジョイント；及び貯水タンク構造体の最上部及び最下部を形成する複数の鋳鉄製パネルの隅部を、貯水タンク構造体の最上部と最下部間に位置する複数の鋳鉄製パネルの隅部に接続する複数の中間ジョイントであって、各々の中間ジョイントがそれぞれの本体の上部及び下部に形成され且つ各鋳鉄製パネルの隅部を受け入れる幅及び深さを有する複数の組立用溝を有し、複数の組立用溝の各々が、各鋳鉄製パネルの隅部が水平方向に抜けるのを防止するように、それぞれの側方入口部の内壁に形成されたロック突部を有している複数の中間ジョイントを備えた貯水タンク構造体が提供される。
【００１５】
上記目的を達成するため、本発明の他の観点によれば、基礎部を形成する工程；基礎部上に床シートを施す工程；複数の鋳鉄製パネルの各々の隅部を、Ｔ字状、直交状及び交差状の配置で形成された複数の組立用溝をそれぞれの上部に有する第１、第２及び第３のベースジョイントに挿入して、貯水タンク構造体の下部を形成する工程；貯水タンク構造体の下部を形成する各鋳鉄製パネルの上方隅部に対応する部分を、Ｔ字状、直交状及び交差状の配置で形成された複数の組立用溝をそれぞれの上部及び下部に有する第１、第２及び第３の中間ジョイントと組み立て、さらにその他の鋳鉄製パネルの隅部を前記第１、第２及び第３の中間ジョイントの上部と組み立て、鋳鉄製パネルが所望の高さに組み立てられるまで前記組み立て作業を繰り返す工程；各鋳鉄製パネルの最上隅部を、Ｔ字状、直交状及び交差状の配置で形成された複数の組立用溝をそれぞれの下部に有する第１、第２及び第３のキャップジョイントに挿入し、貯水タンク構造体の頂部上にキャップパネルを組み立てて、貯水タンク構造体の作製を完成させる工程；貯水タンク構造体内に貯えられた雨水の排出を遅らせるように、貯水タンク構造体の側部及び頂部上に側部及び頂部シートを施す工程；及び貯水タンク構造体の側部及び頂部に対し埋め戻しを行う工程を有する貯水タンク構造体の建造方法が提供される。
【００１６】
上記及びその他の本発明の目的、特徴及び利点は、添付の図面を参照した本発明の好ましし実施形態に関する以下の詳細な説明から明らかとなろう。
【発明を実施するための最良の形態】
【００１７】
以下、本発明による貯水タンク構造体を添付の図面を参照して説明する。
【００１８】
本発明によれば、図１１ａから１１ｅに示すように、基礎部７０を形成する工程；基礎部上に床シート６０を施す工程；床シート６０上で複数の鋳鉄製パネル１０を水平に接続して格子形状とし、その上に複数の鋳鉄製パネル１０を垂直方向に載置して、ほぼ矩形状の貯水タンク構造体を組み立てる工程；貯水タンク構造体内に貯えられた雨水の排出を遅らせるように、貯水タンク構造体の側部と頂部上に側部及び頂部シート６２及び６４を施す工程；及び貯水タンク構造体の側部と頂部に対し埋め戻しを行う工程を含む貯水タンク構造体を建造する方法が提供される。
【００１９】
基礎部７０を形成する際、簡単な方法としてはメッシュを広げて敷き、そのメッシュ上にコンクリートを流し込む。あるいは砕石７２を広く敷き詰め、砕石７２上に砂７４を広く敷き詰める。その後、図３に示すように、高圧ブロック７６を砂７２の上に施す。また床シート６０は、保護シート６１ａ(短繊維不織布)、遮水シート６１ｂ(強化複合型)、及び保護シート６１ｃ(長繊維不織布)を基礎部上に順次広げて敷くことによって形成される。
【００２０】
図２ａ及び２ｂに示すように、本発明による貯水タンク構造体は、その片側に位置した雨水導入部と、その他側に位置した雨水排出部８４とを具備する。雨水導入部はその片側に位置した第１雨水導入タンク８０ａと、第１雨水導入タンク８０ａに隣接して位置した第２雨水導入タンク８０ｂとを有する。第１雨水導入タンク８０ａは雨水導入孔８１ａを有し、そこを通じて雨水が外部から導入される。
【００２１】
第１及び第２雨水導入タンク８０ａ及び８０ｂはそれらの下部に形成された第１雨水流通孔８２ａを有し、第１雨水流通孔８２ａは、雨水から異物をフィルタでろ過して除去するフィルタ部８３に接続されている。また、第１及び第２雨水導入タンク８０ａ及び８０ｂはそれらの上部に形成された第２雨水流通孔８２ｂを有し、雨水が所定のレベルを超えて第１雨水導入タンク８０ａに導入された場合に、雨水がフィルタ部８３を通過せずに直接第２雨水導入タンク８０ｂへ流出されるように構成されている。さらに、第２雨水導入タンク８０ｂは、雨水を貯水タンク構造体の内部へ導くように、その下部に形成された第３雨水流通孔８２ｃを有する。
【００２２】
マンホールカバーＭが第１及び第２雨水導入タンク８０ａ及び８０ｂの各上方に装着され、必要に応じ、管理者あるいは作業員がマンホールカバーＭを開けて両タンクに出入りできる。
【００２３】
また、雨水排出部８４は雨水排出孔８１ｂを有し、雨水はそこから排水通路を経て排出され、川や下水処理施設に流出される。
【００２４】
さらに、雨水排出部８４は雨水導入孔８５ａを有し、貯水タンク構造体内に貯えられた雨水をそこから雨水排出部８４に導入させると共に、その上部に形成されたオーバフロー孔８５ｂを有し、貯水タンク構造体が雨水で満杯になった場合に、雨水をそこから溢れ出させる。
【００２５】
本発明によれば、貯水タンク構造体は複数の鋳鉄製パネル１０；及び各鋳鉄製パネルの隅部に連結され、複数の鋳鉄製パネル１０を水平及び垂直方向に相互に接続することによって、複数の隔壁を内部に有する多角状の貯水タンク構造体を形成する複数のジョイントを含み、複数のジョイントは、貯水タンク構造体の最下部を形成する複数の鋳鉄製パネル１０の下方隅部を接続する複数のベースジョイント２１、２２及び２３と、貯水タンク構造体の最上部を形成する複数の鋳鉄製パネル１０の上方隅部を接続する複数のキャップジョイント４１、４２及び４３；及び貯水タンク構造体の最上部及び最下部を形成する複数の鋳鉄製パネル１０の隅部を、貯水タンク構造体の最上部と最下部間に位置する複数の鋳鉄製パネル１０の隅部に接続する複数の中間ジョイント３１、３２及び３３とを含む。
【００２６】
図５ａから５ｃ及び図９ａから９ｃに示すように、複数のベースジョイント２１、２２及び２３と複数のキャップジョイント４１、４２及び４３の各々は、それぞれの本体の上部または下部に形成され且つ各鋳鉄製パネル１０の隅部を受け入れる幅及び深さを有する複数の組立用溝Ｈを有し、また複数の組立用溝Ｈの各々は、各鋳鉄製パネル１０の隅部が水平方向に抜けるのを防止するように、それぞれの側方入口部の内壁に形成されたロック突部ｔを有する。
【００２７】
ベースジョイントとキャップジョイントは、Ｔ字状の配置で形成された組立用溝Ｈを有する第１のベース及びキャップジョイント２１及び４１と、直交状の配置で形成された組立用溝Ｈを有する第２のベース及びキャップジョイント２２及び４２と、交差状の配置で形成された組立用溝Ｈを有する第３のベース及びキャップジョイント２３及び４３とを含む。
【００２８】
第１ベースジョイント２１と第１キャップジョイント４１は、図６ａ及び図１０ａに示すように貯水タンク構造体の外壁を形成する鋳鉄製パネル１０を接続するものであり、第２ベースジョイント２２と第２キャップジョイント４２は、図６ｂ及び図１０ｂに示すように貯水タンク構造体の隅部(エッジ部)を形成する鋳鉄製パネル１０を接続するものであり、さらに第３ベースジョイント２３と第３キャップジョイント４３は、図６ｃ及び図１０ｃに示すように貯水タンク構造体の内部の隔壁を形成する鋳鉄製パネル１０を接続するものである。
【００２９】
一方、図７ａから７ｃに示すように、複数の中間ジョイント３１、３２及び３３の各々は、それぞれの本体の上部及び下部に形成され且つ各鋳鉄製パネル１０の隅部を受け入れる幅及び深さを有する複数の組立用溝Ｈを有し、また複数の組立用溝Ｈの各々は、各鋳鉄製パネル１０の隅部が水平方向に抜けるのを防止するように、それぞれの側方入口部の内壁に形成されたロック突部ｔを有する。
【００３０】
中間ジョイントは、Ｔ字状の配置で形成された組立用溝Ｈを有する第１中間ジョイント３１と、直交状の配置で形成された組立用溝Ｈを有する第２中間ジョイント３２と、交差状の配置で形成された組立用溝Ｈを有する第３中間ジョイント３３とを含む。
【００３１】
第１中間ジョイント３１は、図８ａに示すように貯水タンク構造体の外壁を形成する鋳鉄製パネル１０を接続するものであり、第２中間ジョイント３２は、図８ｂに示すように貯水タンク構造体の隅部(エッジ部)を形成する鋳鉄製パネル１０を接続するものであり、さらに第３中間ジョイント３３は、図８ｃに示すように貯水タンク構造体の内部の隔壁を形成する鋳鉄製パネル１０を接続するものである。
【００３２】
各鋳鉄製パネル１０は、各ジョイントの組立用溝Ｈに形成されたロック突部ｔと対応するように、その隅部に形成されたロック突起１２を有する。
【００３３】
さらに、貯水タンク構造体の頂部上にキャップパネル５０が被され、貯水タンク構造体の内部に形成された隔壁により画成され垂直方向に形成された空間を覆う。
【００３４】
キャップパネル５０は各鋳鉄製パネル１０の隔壁により画成された空間に対応するサイズを有し、キャップパネル５０を空間内に落下させることなく、貯水タンク構造体の頂部上で被覆状態に安定して維持する連結手段を有する。
【００３５】
連結手段は一般的に２種類あり、嵌合-組立型と装着型である。
【００３６】
図４ｂに示すように、嵌合-組立型の連結手段は、キャップパネル５０の各隅部の下面に形成された組立用突起５２と、対応するキャップジョイントの頂面に形成されて組立用突起５２が挿入されるキャップ組立用溝４９とを具備する。
【００３７】
図４ｃ及び４ｄに示すように、装着型の連結手段は、キャップパネル５０’の各側部から一体状に、貯水タンク構造体の隔壁を形成する鋳鉄製パネルの頂端に対してロックされるように突出した延出片５４で、隣接するキャップパネル５０’の延出片５４と重ならないようにパズル状に配置された延出片５４と、各鋳鉄製パネルの頂端に対してロックされるように各延出片５４の端部下面に形成され、キャップパネル５０’が水平方向に移動するのを防止する移動防止突部５６とを具備する。
【００３８】
ここで、各延出片５４は、鋳鉄製パネル１０の頂端の高さとキャップジョイントの頂端の高さとの差を解消するように、その下面に形成され、鋳鉄製パネル１０の頂端に配設されるキャップジョイントの厚さを持つ補強部５７を有する。さらに、キャップパネル５０’は、キャップジョイントの頂部に装着されるように各隅部に形成された補助延出片５４’を有する。
【００３９】
上記の各構成部品を用いて貯水タンク構造体を組み立てる方法について見れば、まず貯水タンク構造体の下部つまりベース部を形成する鋳鉄製パネル１０を、複数のベースジョイントを用いて相互に組み立てる。
【００４０】
組み立て方法は、貯水タンク構造体の片側隅部から開始するのが好ましい。そのために、第２ベースジョイント２２を、その上部に組立用溝Ｈが位置するように開始地点に配置し、次いで各鋳鉄製パネル１０の隅部を第２ベースジョイント２２の組立用溝Ｈ内に嵌合挿入する。そのとき、各鋳鉄製パネル１０の隅部は、第２ベースジョイント２２の組立用溝Ｈ内にその上部から下部へ向かって嵌合挿入される。
【００４１】
挿入が終了すると、その状態で鋳鉄製パネル１０が第２ベースジョイント２２から水平方向に分離しないように、鋳鉄製パネル１０の各隅部に形成されたロック突起１２が各組立用溝Ｈの側方入口部のロック突部ｔに対してロックされる。
【００４２】
次に、Ｔ字状の配置で形成された組立用溝Ｈを有する第１ベースジョイント２１を、第２ベースジョイント２２に接続された各鋳鉄製パネル１０の他端の下方隅部に配置し、その鋳鉄製パネル１０の下端隅部を第１ベースジョイント２１の組立用溝Ｈ内に挿入して、貯水タンク構造体の外壁を形成する。
【００４３】
交差状の配置で形成された組立用溝Ｈを有する第３ベースジョイント２３を、貯水タンク構造体の外壁を形成する鋳鉄製パネル１０の内側に配置し、その第３ベースジョイント２３に鋳鉄製パネル１０を格子状に接続して、貯水タンク構造体の内部隔壁を形成する。
【００４４】
設計した貯水タンク構造体の下部は、上記の方法によって形成される。
【００４５】
各ベースジョイントと同じ配置で形成された組立用溝Ｈを有する各中間ジョイントを、貯水タンク構造体の下部を形成する鋳鉄製パネル１０の各上方隅部に配置する。すなわち、第２中間ジョイント３２を第２ベースジョイント２２の上方に配置し、第１中間ジョイント３１を第１ベースジョイント２１の上方に配置し、さらに第３中間ジョイント３３を第３ベースジョイント２３の上方に配置する。次に、各鋳鉄製パネル１０の隅部を、各中間ジョイントの下部に形成された組立用溝Ｈ内に挿入して、各中間ジョイントの下方に位置した鋳鉄製パネル１０の上部を固定した後、別の鋳鉄製パネル１０の隅部を、各中間ジョイントの上部に形成された組立用溝Ｈ内に挿入して、鋳鉄製パネル１０を載置する。
【００４６】
貯水タンク構造体が所望の高さになるまで、上記の作業を繰り返し行うことにより、複数の鋳鉄製パネル１０が組み立てられる。
【００４７】
鋳鉄製パネル１０が所望の高さまで組み立てられたら、貯水タンク構造体の最上部を形成する各鋳鉄製パネル１０の頂端部に各キャップジョイントを連結する。このとき、各中間ジョイントと同じ配置で形成された組立用溝Ｈを有する各キャップジョイントが、各鋳鉄製パネル１０の頂端部に連結される。すなわち、第２キャップジョイント４２は、直交状の配置で形成された組立用溝Ｈを有する第２中間ジョイント３２の上方に対応して連結され、第１キャップジョイント４１は、Ｔ字状の配置で形成された組立用溝Ｈを有する第１中間ジョイント３１の上方に対応して連結され、さらに第３キャップジョイント４３は、交差状の配置で形成された組立用溝Ｈを有する第３中間ジョイント３３の上方に対応して連結される。
【００４８】
直交状、Ｔ字状、及び交差状の配置に対応する各鋳鉄製パネル１０の各隅部を、各キャップジョイントの下部に形成された組立用溝Ｈ内に挿入することによって組み立て作業が完了する。
【００４９】
最後に、キャップパネル５０を貯水タンク構造体の頂部に組み立てる。
【００５０】
キャップパネル５０の連結手段が嵌合-組立型で形成されている場合には、鋳鉄製パネル１０の各隅部の下面に形成された組立用突起５２を、キャップジョイントの頂部に形成されたキャップ組立用溝４９内に挿入することによって、キャップパネル５０の組み立て作業が完了する。
【００５１】
一方、キャップパネル５０’の連結手段が装着型で形成されている場合には、各キャップパネル５０’のエッジからパズル状に延出した延出片５４を、格子状に組み立てられている鋳鉄製パネル１０の頂部上に装着する。その際、キャップパネル５０’の隣接する延出片５４が相互に干渉するのを防ぐように、所定のパターンが形成される。キャップパネル５０’が各鋳鉄製パネル１０の頂部上に装着されると、各延出片５４の端部下面に形成された移動防止突部５６が各鋳鉄製パネル１０の頂端に対してロックされ、その結果キャップパネル５０’は横方向の力が加わっても、組み立て状態を安定に維持可能である。
【００５２】
他方、本発明による貯水タンク構造体では、作業員や管理者が移動する通路８６を設けることができる。
【００５３】
図１２ａは本発明による貯水タンク構造体における通路用鋳鉄製パネルを示す斜視図であり、図１２ｂは本発明による貯水タンク構造体における通路用鋳鉄製パネルを用いて形成された通路示す断面図である。
【００５４】
通路８６は、第２雨水導入タンク８０ｂの第３雨水流通孔８２ｃと連通して形成されている。通路８６はアーチ状または台形状の内側スペースを有する通路用鋳鉄製パネル１４を用いて形成され、設計される通路８６のサイズに応じて、通路用鋳鉄製パネル１４がそれぞれ上向き及び下向きで相互に対向して配置されるか、あるいはもっと延びた通路を得るように、２つの対向する通路用鋳鉄製パネル１４の間に支持体１６が配設される。組み立て方法は、一般の鋳鉄製パネル１０の場合と同じである。
【００５５】
鋳鉄製パネル１０と各種のジョイントを用いて貯水タンク構造体が完全に組み立てられたら、側部シート６２で貯水タンク構造体の各側部を被覆し、次いで頂部シート６２で貯水タンク構造体の頂部を被覆する。その際、作業員や管理者が出入り可能となるように、通路８６が形成される位置にマンホールが配設される。貯水タンク構造体の上方には、運動場、広場、公園、駐車場など各種の施設が作れる。
【００５６】
また、貯えられた水を必要時に使えるように、ポンプ設備が貯水タンク構造体に設けられる。
【００５７】
貯水タンク構造体が長期間使用される場合、雨水と一緒に導入される(スラッジを含む)沈殿物が貯水タンク構造体の底に堆積する。そのような場合、沈殿物が貯水容量を減少させる原因となるため、貯水タンク構造体は定期的に清掃し、その底に堆積された沈殿物を除去すべきである。
【００５８】
その際には、マンホールカバーＭを開き、作業員が第２雨水導入タンク８０ｂに入り、そこから第３雨水流通孔８２ｃを通って貯水タンク構造体内に入る。作業員は貯水タンク構造体に形成された通路８６を通って貯水タンク構造体内を移動し、高圧水を使って底に堆積したスラッジを一箇所に集める。鋳鉄製パネル１０の下端はベースジョイントによって貯水タンク構造体の底面から所定の高さだけ離れているため、スラッジは高圧水を使って用意に所望の位置に移動可能である。移動されたスラッジは、別の排出装置により排出される。従って、本発明による貯水タンク構造体は高い貯水容量を維持でき、貯えられた水を清浄な状態に保持できるため、内部に貯えられた雨水をポンプでくみ出し使用するのに何ら問題を生じない。
【００５９】
上記したように、高強度を有する鋳鉄製パネルを組み立てて作製するので、高さ(深さ)に制限なく、所望のサイズに建造可能な貯水タンク構造体が得られる。
【００６０】
また、鋳鉄製パネルは直交状、Ｔ字状、及び交差状の配置で形成された組立用溝を有する各ジョイントを用いて組み立てられるため、迅速且つ堅固に組み立て可能である。
【００６１】
さらに、本発明の貯水タンク構造体は厚さ及び占有体積が小さく、高い剛性を有するため、内部に大きい貯水スペースを用意に確保でき、従って既存の構造体よりも大きい貯水容量が得られる。
【００６２】
しかも、本発明の貯水タンク構造体は作業員や管理者が出入り可能となるため、その内部を清掃できることから、貯水タンク構造体を清浄な状態に維持可能であると共に、貯水タンク構造体の保守作業を容易に行えるため、貯水タンク構造体の耐久期間を延長可能である。
【００６３】
以上本発明を特定の例示実施形態を参照して説明したが、本発明はそれらの実施形態によって限定されず、添付の請求の範囲によってのみ限定される。また、当業者は実施形態を、本発明の範囲と精神を逸脱することなく変形もしくは変更可能であることが理解されるべきである。
【図面の簡単な説明】
【００６４】
【図１ａ】図１ａは本発明による貯水タンク構造体を示す側面図。
【図１ｂ】図１ｂは本発明による貯水タンク構造体を示す平面図。
【図２ａ】図２ａは本発明による貯水タンク構造体の雨水導入部を示す側面図。
【図２ｂ】図２ｂは本発明による貯水タンク構造体の雨水排出部を示す側面図。
【図３】図3は本発明による貯水タンク構造体における基礎部を示す側面図。
【図４ａ】図４ａは本発明による貯水タンク構造体における鋳鉄製パネル及びキャップパネルを示す斜視図。
【図４ｂ】図４ｂは本発明による貯水タンク構造体における鋳鉄製パネル及びキャップパネルを示す斜視図。
【図４ｃ】図４ｃは本発明による貯水タンク構造体におけるキャップパネルの別の例を示す斜視図。
【図４ｄ】図４ｄは本発明による貯水タンク構造体におけるキャップパネルの別の例を示す斜視図。
【図５】図５ａ乃至５ｃは本発明による貯水タンク構造体における鋳鉄製パネルを接続するベースジョイントの構造を示す斜視図。
【図６ａ】図６ａは本発明による貯水タンク構造体におけるベースジョイントによる鋳鉄製パネルの組み立て状態を示す斜視図。
【図６ｂ】図６ｂは本発明による貯水タンク構造体におけるベースジョイントによる鋳鉄製パネルの組み立て状態を示す斜視図。
【図６ｃ】図６ｃは本発明による貯水タンク構造体におけるベースジョイントによる鋳鉄製パネルの組み立て状態を示す斜視図。
【図７】図７ａ乃至７ｃは本発明による貯水タンク構造体における鋳鉄製パネルを接続する中間ジョイントの構造を示す斜視図。
【図８ａ】図８ａは本発明による貯水タンク構造体における中間ジョイントによる鋳鉄製パネルの組み立て状態を示す斜視図。
【図８ｂ】図８ｂは本発明による貯水タンク構造体における中間ジョイントによる鋳鉄製パネルの組み立て状態を示す斜視図。
【図８ｃ】図８ｃは本発明による貯水タンク構造体における中間ジョイントによる鋳鉄製パネルの組み立て状態を示す斜視図。
【図９】図９ａ乃至図９Ｃは本発明による貯水タンク構造体における鋳鉄製パネルを接続するキャップジョイントの構造を示す斜視図。
【図１０ａ】図１０ａは本発明による貯水タンク構造体におけるキャップジョイントによる鋳鉄製パネルの組み立て状態を示す斜視図。
【図１０ｂ】図１０ａｂ本発明による貯水タンク構造体におけるキャップジョイントによる鋳鉄製パネルの組み立て状態を示す斜視図。
【図１０ｃ】図１０ｃは本発明による貯水タンク構造体におけるキャップジョイントによる鋳鉄製パネルの組み立て状態を示す斜視図。
【図１１ａ】図１１ａは本発明による鋳鉄製パネルを用いた貯水タンク構造体の組み立て法を示す側面図。
【図１１ｂ】図１１ｂは本発明による鋳鉄製パネルを用いた貯水タンク構造体の組み立て法を示す側面図。
【図１１ｃ】図１１ｃは本発明による鋳鉄製パネルを用いた貯水タンク構造体の組み立て法を示す側面図。
【図１１ｄ】図１１ｄは本発明による鋳鉄製パネルを用いた貯水タンク構造体の組み立て法を示す側面図。
【図１１ｅ】図１１ｅは本発明による鋳鉄製パネルを用いた貯水タンク構造体の組み立て法を示す側面図。
【図１２】図１２ａは本発明による貯水タンク構造体における通路用鋳鉄製パネルを示す斜視図、および図１２ｂは本発明による貯水タンク構造体における通路用鋳鉄製パネルを用いて形成された通路示す断面図である。
【図１ａ】
2009057819.tif 000003
【図１ｂ】
2009057819.tif 000004
【図２ａ】
2009057819.tif 000005
【図２ｂ】
2009057819.tif 000006
【図３】
2009057819.tif 000007
【図４ａ】
2009057819.tif 000008
【図４ｂ】
2009057819.tif 000009
【図４ｃ】
2009057819.tif 000010
【図４ｄ】
2009057819.tif 000011
【図５】
2009057819.tif 000012
【図６ａ】
2009057819.tif 000013
【図６ｂ】
2009057819.tif 000014
【図６ｃ】
2009057819.tif 000015
【図７】
2009057819.tif 000016
【図８ａ】
2009057819.tif 000017
【図８ｂ】
2009057819.tif 000018
【図８ｃ】
2009057819.tif 000019
【図９】
2009057819.tif 000020
【図１０ａ】
2009057819.tif 000021
【図１０ｂ】
2009057819.tif 000022
【図１０ｃ】
2009057819.tif 000023
【図１１ａ】
2009057819.tif 000024
【図１１ｂ】
2009057819.tif 000025
【図１１ｃ】
2009057819.tif 000026
【図１１ｄ】
2009057819.tif 000027
【図１１ｅ】
2009057819.tif 000028
【図１２】
2009057819.tif 000029
【外国語明細書】
2009057819000001.pdf